【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
便器上部の後側に配置されるケーシングと、
前記ケーシングの下面に配置される噴出口と、
前記噴出口に給水源からの水を供給する水路と、
前記水路を開閉する電動開閉弁と、
前記電動開閉弁の開閉動作を制御する制御手段とを備えた便器装置において、
前記噴出口は、前記ケーシングの下面であって前記便器の開口部の内側領域に相当する部位のうち前記便器の前側に設けられ、
さらに前記噴出口は、前記水が噴出する方向を前記便器の後側に向けられ、且つ前記水で前記ケーシングの下面を洗浄することを特徴とする便器装置。
【請求項２】
請求項１記載の便器装置において、
前記ケーシングの下面のうち前記便器の開口部の内側領域に相当する部位の外周の一部に沿って、前記ケーシング下面より便器開口内の下方に突出したガイドを備えることを特徴とする便器装置。
【請求項３】
請求項１記載の便器装置において、
前記ケーシングの下面であって前記便器の開口部の内側領域に相当する部位を覆うカバー部材を前記ケーシングに着脱可能に備え、
前記カバーを前記ケーシング下面に取付けた状態において、前記噴出口から噴出する前記水でカバー部材の下面を洗浄することを特徴とする便器装置。
【請求項４】
請求項１〜３の少なくともいずれか１項に記載の便器装置において、
さらに、人が便器を使用していることを検知する使用検知手段を設け、
前記制御手段は前記使用検知手段の出力信号に基づいて前記電動開閉弁の開閉動作を制御することを特徴とする便器装置。
【請求項５】
請求項４記載の便器装置において、
前記制御手段は、前記使用検知手段の出力信号が検知状態から非検知状態に変化した後に、前記電動開閉弁を開くことを特徴とする便器装置。
【手続補正２】
【補正対象書類名】明細書
【補正対象項目名】０００５
【補正方法】変更
【補正の内容】
【０００５】
上記目的を達成するために、請求項１記載の発明によれば、便器上部の後側に配置されるケーシングと、前記ケーシングの下面に配置される噴出口と、前記噴出口に給水源からの水を供給する水路と、前記水路を開閉する電動開閉弁と、前記電動開閉弁の開閉動作を制御する制御手段とを備えた便器装置において、前記噴出口は、前記ケーシングの下面であって前記便器開口部の内側領域に相当する部位のうち前記便器の前側に設けられ、さらに前記噴出口は、前記水が噴出する方向を前記便器の後側に向けられ、且つ前記水で前記ケーシングの下面を洗浄することを特徴とする。これにより、特に排便・小便の跳ね返りや飛び散り等によって汚れやすいと想定されるケーシングの表面に沿って洗浄水を供給することにより、ケーシングの表面に付着した汚水を洗い流すことが出来、手を汚すことなく清掃することが可能である。また特に、排便・小便の跳ね返りや飛び散り等によって汚れやすいと想定されるケーシングの下面のうち便器開口部の内側領域を、簡単な構成で洗い流すことが可能である。
【手続補正３】
【補正対象書類名】明細書
【補正対象項目名】０００６
【補正方法】変更
【補正の内容】
【０００６】
また、請求項２記載の発明によれば、請求項１記載の便器装置において、前記ケーシングの下面のうち前記便器開口部の内側領域に相当する部位の外周の一部に沿って、前記ケーシング下面より便器開口内の下方に突出したガイドを備えることを特徴とする。これにより、前記ケーシングの下面のうち前記便器開口部の内側領域に相当する部位を洗浄した水は、便器外にこぼれることなく便器開口部内に排水されるので、床面を浸水から防ぐことが可能である。
【手続補正４】
【補正対象書類名】明細書
【補正対象項目名】０００７
【補正方法】変更
【補正の内容】
【０００７】
また、請求項３記載の発明によれば、請求項１記載の便器装置において、前記ケーシングの下面であって前記便器開口部の内側領域に相当する部位を覆うカバー部材を前記ケーシングに着脱可能に備え、前記カバーを前記ケーシング下面に取付けた状態において、前記噴出口から噴出する前記水でカバー部材の下面を洗浄することを特徴とする。これにより、特に排便・小便の跳ね返りや飛び散り等によって汚れやすいと想定されるケーシングを覆うカバー部材の表面に沿って水を供給することにより、カバー部材の表面に付着した汚水を洗い流すことが出来、手を汚すことなく清掃することが可能である。
【手続補正５】
【補正対象書類名】明細書
【補正対象項目名】０００８
【補正方法】変更
【補正の内容】
【０００８】
また、請求項４記載の発明によれば、請求項１〜３の少なくともいずれか１項に記載の便器装置において、さらに、人が便器を使用していることを検知する使用検知手段を設け、前記制御手段は前記使用検知手段の出力信号に基づいて前記電動開閉弁の開閉動作を制御することを特徴とする。これにより、人体のトイレ使用毎に洗浄面を洗浄することが出来るので、常に洗浄面を清潔に保つことが可能となる。
【手続補正６】
【補正対象書類名】明細書
【補正対象項目名】０００９
【補正方法】変更
【補正の内容】
【０００９】
また、請求項５記載の発明によれば、請求項４記載の便器装置において、
前記制御手段は、前記使用検知手段の出力信号が検知状態から非検知状態に変化した後に、前記電動開閉弁を開くことを特徴とする。これにより、人体のトイレ使用後に洗浄面を洗浄させることで、洗浄面に付着した汚水を洗浄することが可能となる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００３６
【補正方法】変更
【補正の内容】
【００３６】
また、ここで、本第一実施例では、ケーシング３の表面、あるいはリモコンに洗浄面１１ａ洗浄用のスイッチを設け、スイッチを押すことによって洗浄面１１ａを洗浄するようにしているが、例えば人が便器１２を使用していることを検知することが可能な使用検知手段１５を設け、人の用便後に、使用検知手段１５が検知状態から非検知状態に変化した際に電動開閉弁７を所定時間開き、水路に通水するように制御してもよい。これにより、人が用便する度に洗浄面１１ａを洗浄することが可能であり、常に洗浄面１１ａを清潔に保つことが出来る。